(57)【要約】【課題】周辺環境に対応した受信判定処理を行う。【解決手段】通信パラメータ算出部２は、受信部１により基地局から受信した受信信号に基づいて、目標ＳＩＲ、フィンガー数、ＣＰＩＣＨ−ＲＳＣＰを通信パラメータとして算出する。受信判定パラメータ設定部３は、通信パラメータ算出部２により通信パラメータとして算出された目標ＳＩＲ、フィンガー数、ＣＰＩＣＨ−ＲＳＣＰのいずれか１つ以上に基づいて、受信判定処理部４による受信判定処理に用いられる受信判定パラメータとして、ＳＩＲの基準値、ＢＥＲの基準値、受信判定時間を設定する。【選択図】図１
2005277549.tif 000002
【特許請求の範囲】
【請求項１】
基地局からの受信信号の受信判定処理を行う移動端末において、
前記基地局からの受信信号に基づいて、前記基地局との間の通信ネットワークにおけるＳＩＲの目標値を示す目標ＳＩＲを算出する算出手段と、
前記算出手段により算出された目標ＳＩＲに基づいて、前記受信判定処理に用いられる受信判定パラメータを設定する受信判定パラメータ設定手段と、
前記受信判定パラメータ設定手段により設定された受信判定パラメータに基づいて、前記受信判定処理を行う受信判定処理手段とを有する移動端末。
【請求項２】
基地局からの受信信号の受信判定処理を行う移動端末において、
前記基地局から複数のパスを経由して受信信号が送信されてきた場合の当該パス数を示すフィンガー数を算出する算出手段と、
前記算出手段により算出されたフィンガー数に基づいて、前記受信判定処理に用いられる受信判定パラメータを設定する受信判定パラメータ設定手段と、
前記受信判定パラメータ設定手段により設定された受信判定パラメータに基づいて、前記受信判定処理を行う受信判定処理手段とを有する移動端末。
【請求項３】
基地局からの受信信号の受信判定処理を行う移動端末において、
前記基地局から共通パイロットチャネルを利用して送信されてきた受信信号のコードごとの電力値を示すＣＰＩＣＨ−ＲＳＣＰを算出する算出手段と、
前記算出手段により算出されたＣＰＩＣＨ−ＲＳＣＰに基づいて、前記受信判定処理に用いられる受信判定パラメータを設定する受信判定パラメータ設定手段と、
前記受信判定パラメータ設定手段により設定された受信判定パラメータに基づいて、前記受信判定処理を行う受信判定処理手段とを有する移動端末。
【請求項４】
基地局からの受信信号の受信判定処理を行う移動端末において、
前記基地局からの受信信号に基づいて、前記基地局との間の通信ネットワークにおけるＳＩＲの目標値を示す目標ＳＩＲを算出する処理と、前記基地局から複数のパスを経由して受信信号が送信されてきた場合の当該パス数を示すフィンガー数を算出する処理と、前記基地局から共通パイロットチャネルを利用して送信されてきた受信信号のコードごとの電力値を示すＣＰＩＣＨ−ＲＳＣＰを算出する処理とを行う算出手段と、
前記算出手段により算出された目標ＳＩＲ、フィンガー数、およびＣＰＩＣＨ−ＲＳＣＰのいずれか２つ以上に基づいて、前記受信判定処理に用いられる受信判定パラメータを設定する受信判定パラメータ設定手段と、
前記受信判定パラメータ設定手段により設定された受信判定パラメータに基づいて、前記受信判定処理を行う受信判定処理手段とを有する移動端末。
【請求項５】
基地局からの受信信号を受信する移動端末による受信判定方法において、
前記基地局からの受信信号に基づいて、前記基地局との間の通信ネットワークにおけるＳＩＲの目標値を示す目標ＳＩＲを算出する第１のステップと、
前記第１のステップにより算出された目標ＳＩＲに基づいて、前記受信判定処理に用いられる受信判定パラメータを設定する第２のステップと、
前記第２のステップにより設定された受信判定パラメータに基づいて、前記受信判定処理を行う第３のステップとを有する受信判定方法。
【請求項６】
基地局からの受信信号を受信する移動端末による受信判定方法において、
前記基地局から複数のパスを経由して受信信号が送信されてきた場合の当該パス数を示すフィンガー数を算出する第１のステップと、
前記第１のステップにより算出されたフィンガー数に基づいて、前記受信判定処理に用いられる受信判定パラメータを設定する第２のステップと、
前記第２のステップにより設定された受信判定パラメータに基づいて、前記受信判定処理を行う第３のステップとを有する受信判定方法。
【請求項７】
基地局からの受信信号を受信する移動端末による受信判定方法において、
前記基地局から共通パイロットチャネルを利用して送信されてきた受信信号のコードごとの電力値を示すＣＰＩＣＨ−ＲＳＣＰを算出する第１のステップと、
前記第１のステップにより算出されたＣＰＩＣＨ−ＲＳＣＰに基づいて、前記受信判定処理に用いられる受信判定パラメータを設定する第２のステップと、
前記第２のステップにより設定された受信判定パラメータに基づいて、前記受信判定処理を行う第３のステップとを有する受信判定方法。
【請求項８】
基地局からの受信信号を受信する移動端末による受信判定方法において、
前記基地局からの受信信号に基づいて、前記基地局との間の通信ネットワークにおけるＳＩＲの目標値を示す目標ＳＩＲを算出する処理と、前記基地局から複数のパスを経由して受信信号が送信されてきた場合の当該パス数を示すフィンガー数を算出する処理と、前記基地局から共通パイロットチャネルを利用して送信されてきた受信信号のコードごとの電力値を示すＣＰＩＣＨ−ＲＳＣＰを算出する処理とを行う第１のステップと、
前記第１のステップにより算出された目標ＳＩＲ、フィンガー数、およびＣＰＩＣＨ−ＲＳＣＰのいずれか２つ以上に基づいて、前記受信判定処理に用いられる受信判定パラメータを設定する第２のステップと、
前記第２のステップにより設定された受信判定パラメータに基づいて、前記受信判定処理を行う第３のステップとを有する受信判定方法。
【発明の詳細な説明】
【技術分野】
【０００１】
本発明は、基地局からの受信信号の受信判定処理を行う移動端末、および移動端末による受信判定方法に関する。
【背景技術】
【０００２】
従来、携帯電話等の移動端末においては、基地局から受信した受信信号について、ＳＩＲ（Signal Interference Ratio；信号対干渉比）、ＢＥＲ（Bit Error Rate；ビット誤り率）等を判定の対象として受信判定処理を行っていた（例えば、特許文献１参照）。
【０００３】
また、この種の移動端末においては、ＳＩＲの基準値、ＢＥＲの基準値、受信判定時間等である受信判定パラメータに基づいて受信判定処理を行っていた。
【特許文献１】特開２００３−１９８５１３号公報
【発明の開示】
【発明が解決しようとする課題】
【０００４】
しかしながら、上述した従来技術においては、受信判定処理に用いられる受信判定パラメータは一意に決定された固定値であったため、外部の周辺環境に伴い変化する電波状況に対応した受信判定処理を行うことはできなかった。
【０００５】
そこで、本発明の目的は、周辺環境に対応した受信判定処理を行うことができる移動端末、移動端末による受信判定方法を提供することにある。
【課題を解決するための手段】
【０００６】
本発明の移動端末は、基地局との間の通信ネットワークにおけるＳＩＲの目標値を示す目標ＳＩＲと、基地局から複数のパスを経由して受信信号が送信されてきた場合の当該パス数を示すフィンガー数と、基地局から共通パイロットチャネルを利用して送信されてきた受信信号のコードごとの電力値を示すＣＰＩＣＨ−ＲＳＣＰのいずれか１つ以上に基づいて、受信判定処理に用いられる受信判定パラメータを設定する点に特徴がある。
【０００７】
すなわち、本発明の移動端末は、目標ＳＩＲ、フィンガー数、およびＣＰＩＣＨ−ＲＳＣＰのいずれか１つ以上に基づいて周辺環境を推測し、その推測結果に応じて受信判定処理に用いられる受信判定パラメータを設定するものである。そのため、周辺環境に対応した受信判定処理を行うことが可能となる。
【発明の効果】
【０００８】
本発明の移動端末によれば、目標ＳＩＲ、フィンガー数、およびＣＰＩＣＨ−ＲＳＣＰに基づき周辺環境を推測し、その推測結果に応じて受信判定処理に用いられる受信判定パラメータを設定するため、周辺環境に対応した受信判定処理を行うことができる。そのため、従来技術と比較して移動端末を省電力で動作させることができる。
【発明を実施するための最良の形態】
【０００９】
以下に、本発明を実施するための最良の形態について図面を参照して説明する。
【００１０】
図１は、本発明の一実施形態による移動端末の構成を示す図である。
【００１１】
図１を参照すると、本実施形態による移動端末は、受信部１と、通信パラメータ算出部２と、受信判定パラメータ設定部３と、受信判定処理部４とを有している。
【００１２】
受信部１は、基地局からの無線信号を受信信号として受信する。
【００１３】
通信パラメータ算出部２は、受信部１により基地局から受信した受信信号に基づいて、本移動端末の周辺環境を推測するための通信パラメータを算出する。
【００１４】
具体的には、通信パラメータ算出部２は、通信パラメータとして、次の（１）〜（３）の３つのパラメータを算出する。
（１）目標ＳＩＲ
基地局と本移動端末との間の通信ネットワークにおけるＳＩＲの目標値を示すパラメータ
（２）フィンガー数
基地局から複数のパスを経由して本移動端末に受信信号が送信されてきた場合の当該パス数を示すパラメータ
（３）ＣＰＩＣＨ（Common Pilot Channel；共通パイロットチャネル）−ＲＳＣＰ（Received Signal Code Power；受信信号コード電力）
基地局から本移動端末に共通パイロットチャネルを利用して送信されてきた受信信号のコード（符号）ごとの電力値を示すパラメータ
受信判定パラメータ設定部３は、通信パラメータ算出部２により算出された通信パラメータに基づいて、受信判定処理部４による受信判定処理に用いられる受信判定パラメータを設定する。
【００１５】
具体的には、受信判定パラメータ設定部３は、通信パラメータ算出部２により通信パラメータとして算出された目標ＳＩＲ、フィンガー数、ＣＰＩＣＨ−ＲＳＣＰのいずれか１つ以上に基づいて、受信判定パラメータとして、ＳＩＲの基準値、ＢＥＲの基準値、受信判定時間を設定する。
【００１６】
受信判定処理部４は、受信判定パラメータ設定部３により設定された受信判定パラメータに基づいて、受信部１により基地局から受信した受信信号の受信判定処理を行う。
【００１７】
具体的には、受信判定パラメータ設定部３は、受信判定パラメータ設定部３により受信判定パラメータとして設定されたＳＩＲの基準値、ＢＥＲの基準値、受信判定時間に基づいて、ＳＩＲやＢＥＲを判定の対象とした受信判定処理を行う。
【００１８】
以下、図１に示した移動端末の受信判定動作について説明する。ここでは、移動端末の周辺環境に応じて、受信判定パラメータとして受信判定時間の設定を適宜変更する場合の動作について説明する。
【００１９】
最初に、通信パラメータとして目標ＳＩＲを用いて受信判定処理を行う場合の動作について、図２のフローチャートを参照して説明する。
【００２０】
図２を参照すると、受信部１により基地局からの受信信号が受信されると（ステップ２０１）、通信パラメータ算出部２は、受信部１により受信された受信信号に基づき、通信パラメータとして目標ＳＩＲ［ｄＢ］を算出する（ステップ２０２）。
【００２１】
例えば、ステップ２０２において、通信パラメータ算出部２は、まず、受信部１により受信された受信信号のＢＥＲやＢＬＥＲ（Block Error Rate；ブロック誤り率）を算出する。このとき、目標ＳＩＲの最大値、最小値、デフォルト値は、予め設定されている。通信パラメータ算出部２は、ＢＥＲやＢＬＥＲに基づいて、目標ＳＩＲの設定可能な範囲内で、基地局との間の通信ネットワークにおけるＳＩＲの目標値となる最適なＳＩＲ値を目標ＳＩＲとして算出する。
【００２２】
次に、受信判定パラメータ設定部３は、通信パラメータ算出部２により算出された目標ＳＩＲと予め設定されている閾値との比較を行い（ステップ２０３）、その比較結果に基づいて、現時点で受信判定処理部４に受信判定パラメータとして設定されている受信判定時間［秒］の設定値を変更する必要があるか判断する（ステップ２０４）。
【００２３】
例えば、ステップ２０４において、受信判定パラメータ設定部３は、ステップ２０３における比較の結果、目標ＳＩＲが閾値よりも小さい場合は、通信環境が良いと推測することができるため、現時点の受信判定時間が短ければ、受信判定時間の設定値を長くする必要があると判断する。逆に、ステップ２０３における比較の結果、目標ＳＩＲが閾値よりも大きい場合は、通信環境が良くないと推測することができるため、現時点の受信判定時間が長ければ、受信判定時間を短くする必要があると判断する。
【００２４】
受信判定パラメータ設定部３は、ステップ２０４において、現時点の受信判定時間を変更する必要があると判断した場合は、受信判定時間の設定値を変更し（ステップ２０５）、現時点の受信判定時間を変更する必要がないと判断した場合は、受信判定時間の設定値を維持する（ステップ２０６）。
【００２５】
その後、受信判定処理部４は、ステップ２０５で設定変更された受信判定時間またはステップ２０６で設定が維持された受信判定時間に基づいて、ＳＩＲやＢＥＲを判定の対象として受信判定処理を行う（ステップ２０７）。
【００２６】
次に、通信パラメータとしてフィンガー数を用いて受信判定処理を行う場合の動作について、図３のフローチャートを参照して説明する。
【００２７】
図３を参照すると、受信部１により基地局からの受信信号が受信されると（ステップ３０１）、通信パラメータ算出部２は、受信部１により受信された受信信号に基づき、通信パラメータとしてフィンガー数［本］を算出する（ステップ３０２）。
【００２８】
例えば、ステップ３０２において、通信パラメータ算出部２は、受信部１により受信された受信信号どうしの相関値を算出することにより、本移動端末に受信された受信信号が通ってきたパス数を示すフィンガー数を算出する。
【００２９】
次に、受信判定パラメータ設定部３は、通信パラメータ算出部２により算出されたフィンガー数と予め設定されている閾値との比較を行い（ステップ３０３）、その比較結果に基づいて、現時点で受信判定処理部４に受信判定パラメータとして設定されている受信判定時間［秒］の設定値を変更する必要があるか判断する（ステップ３０４）。
【００３０】
例えば、ステップ３０４において、受信判定パラメータ設定部３は、ステップ３０３における比較の結果、フィンガー数が閾値よりも小さい場合は、通信環境が良いと推測することができるため、現時点の受信判定時間が短ければ、受信判定時間の設定値を長くする必要があると判断する。逆に、ステップ３０３における比較の結果、フィンガー数が閾値よりも大きい場合は、通信環境が良くないと推測することができるため、現時点の受信判定時間が長ければ、受信判定時間を短くする必要があると判断する。
【００３１】
受信判定パラメータ設定部３は、ステップ３０４において、現時点の受信判定時間を変更する必要があると判断した場合は、受信判定時間の設定値を変更し（ステップ３０５）、現時点の受信判定時間を変更する必要がないと判断した場合は、受信判定時間の設定値を維持する（ステップ３０６）。
【００３２】
その後、受信判定処理部４は、ステップ３０５で設定変更された受信判定時間またはステップ３０６で設定が維持された受信判定時間に基づいて、ＳＩＲやＢＥＲを判定の対象として受信判定処理を行う（ステップ３０７）。
【００３３】
次に、通信パラメータとしてＣＰＩＣＨ−ＲＳＣＰを用いて受信判定処理を行う場合の動作について、図４のフローチャートを参照して説明する。
【００３４】
図４を参照すると、受信部１により基地局からの受信信号が受信されると（ステップ４０１）、通信パラメータ算出部２は、受信部１により受信された受信信号に基づき、通信パラメータとしてＣＰＩＣＨ−ＲＳＣＰ［ｄＢ］を算出する（ステップ４０２）。
【００３５】
例えば、ステップ４０２において、通信パラメータ算出部２は、受信部１により受信された受信信号のうち、ＣＰＩＣＨを利用して送信されてきた受信信号について、コードごとの電力値を算出することにより、ＣＰＩＣＨ−ＲＳＣＰを算出する。
【００３６】
次に、受信判定パラメータ設定部３は、通信パラメータ算出部２により算出されたＣＰＩＣＨ−ＲＳＣＰと予め設定されている閾値との比較を行い（ステップ４０３）、その比較結果に基づいて、現時点で受信判定処理部４に受信判定パラメータとして設定されている受信判定時間［秒］の設定値を変更する必要があるか判断する（ステップ４０４）。
【００３７】
例えば、ステップ４０４において、受信判定パラメータ設定部３は、ステップ４０３における比較の結果、ＣＰＩＣＨ−ＲＳＣＰが閾値よりも大きい場合は、通信環境が良いと推測することができるため、現時点の受信判定時間が短ければ、受信判定時間の設定値を長くする必要があると判断する。逆に、ステップ４０３における比較の結果、ＣＰＩＣＨ−ＲＳＣＰが閾値よりも小さい場合は、通信環境が良くないと推測することができるため、現時点の受信判定時間が長ければ、受信判定時間を短くする必要があると判断する。
【００３８】
受信判定パラメータ設定部３は、ステップ４０４において、現時点の受信判定時間を変更する必要があると判断した場合は、受信判定時間の設定値を変更し（ステップ４０５）、現時点の受信判定時間を変更する必要がないと判断した場合は、受信判定時間の設定値を維持する（ステップ４０６）。
【００３９】
その後、受信判定処理部４は、ステップ４０５で設定変更された受信判定時間またはステップ４０６で設定が維持された受信判定時間に基づいて、ＳＩＲやＢＥＲを判定の対象として受信判定処理を行う（ステップ４０７）。
【００４０】
本実施形態においては、目標ＳＩＲ、フィンガー数、ＣＰＩＣＨ−ＲＳＣＰのいずれか１つを通信パラメータとして用いて受信判定処理を行う場合の動作について説明したが、本発明はこれに限定されず、目標ＳＩＲ、フィンガー数、ＣＰＩＣＨ−ＲＳＣＰのいずれか２つ以上を通信パラメータとして用いて受信判定処理を行うこととしても良い。
【図面の簡単な説明】
【００４１】
【図１】本発明の一実施形態による移動端末の構成を示すブロック図である。
【図２】図１に示した移動端末において、目標ＳＩＲを通信パラメータとして用いて受信判定処理を行う場合の動作を説明するフローチャートである。
【図３】図１に示した移動端末において、フィンガー数を通信パラメータとして用いて受信判定処理を行う場合の動作を説明するフローチャートである。
【図４】図１に示した移動端末において、ＣＰＩＣＨ−ＲＳＣＰを通信パラメータとして用いて受信判定処理を行う場合の動作を説明するフローチャートである。
【符号の説明】
【００４２】
１    受信部
２    通信パラメータ算出部
３    受信判定パラメータ設定部
４    受信判定処理部
【図１】
2005277549.tif 000003
【図２】
2005277549.tif 000004
【図３】
2005277549.tif 000005
【図４】
2005277549.tif 000006